(57)【特許請求の範囲】
【請求項１】
照明負荷と、前記照明負荷の光出力を制御する制御部と、複数の照度補正用データを選択する手段とを備える照明装置であって、前記照度補正用データは、前記照明負荷の累積点灯時間及び前記照明負荷の累積調光量に応じて選択されるものであり、前記制御部は、前記照明負荷の累積点灯時間及び累積調光量をカウントし、それぞれの累積点灯時間と累積調光量との積算を加算することにより平均照度を算出し該算出値により、照度補正用データを選択することを特徴とする照明装置。
【請求項２】
前記照度補正用データは、照射面の反射率に応じて選択されるものであることを特徴とする請求項１記載の照明装置。
【請求項３】
前記照度補正用データは、前記照明負荷の種類に応じて選択されるものであることを特徴とする請求項１又は請求項２のいずれかに記載の照明装置。
【請求項４】
前記照度補正用データは、前記照明負荷を有する照明器具の種類に応じて選択されるものであることを特徴とする請求項１乃至請求項３のいずれかに記載の照明装置。
【請求項５】
前記照度補正用データは、外光量に応じて選択されるものであることを特徴とする請求項１乃至請求項４のいずれかに記載の照明装置。
【発明の詳細な説明】
【０００１】
【発明の属する利用分野】
本発明は照明装置に関するものであり、更に詳しくは、初期照度補正を行い得る省エネ型の照明装置に関する。
【０００２】
【従来の技術】
近年、地球環境保護の視点から省エネが注目されており、照明装置においても、色々な用途で快適さを損なうことなく省エネが達成できるものが提案されている。
【０００３】
本発明に係る従来例としては、特開昭６４−８９２８７号公報に示したものがあり、それは、時間の経過に応じて照度補正値を演算する照度補正値演算装置と、照度補正値に基づいて調光制御信号を補正して送出する調光制御端末器とを備えることにより、常時適切な照度を確保できるようにするものである。
【０００４】
ここで、照度補正値演算装置は、時間の経過に伴う光束低下特性を器具毎に記憶させたメモリと、進行する汚れによる光束低下特性を器具別に記憶させたメモリと、時計手段の出力値が所定数変化する度に、それぞれ初期照度を維持する照度補正値を演算し、両補正値を加算して出力する演算手段とを備えるものであり、調光制御端末器は、伝送線から送信される調光デ−タを入力し、調光制御信号を補正して送出するものである
【０００５】
【発明が解決しようとする課題】
しかし、上記従来例では、以下に示すような問題点が生じてしまう。
【０００６】
上記従来例では、時間の経過や進行する汚れに伴う光束低下特性をデータとして器具毎に記憶させているが、器具毎に予めデータを記憶している為に、色々な用途や状況に応じた照明制御に対応しにくい。つまり、床面などの反射率の違いや時間（時刻）に応じて調光レベルを変化させる空間（例えば店舗）などには対応しにくく、要求された照度が得られなくなってしまう。このような要求に対応するには、更に必要なデータを記憶することなどが必要となり、メモリの大型化、装置の大型化を招いてしまう。
【０００７】
本発明は上記問題点に鑑みてなされたもので、その目的とするところは、床面などの反射率の違いや時間（時刻）等に応じて調光レベルを変化させる空間（例えば店舗）などにも対応した初期照度補正が可能で、装置の小型化が可能な照明装置を提供することである。
【０００８】
【課題を解決するための手段】
記問題点を解決するために、請求項１記載の発明によれば、照明負荷と、前記照明負荷の光出力を制御する制御部と、複数の照度補正用データを選択する手段とを備える照明装置であって、前記照度補正用データは、前記照明負荷の累積点灯時間及び前記照明負荷の累積調光量に応じて選択されるものであり、前記制御部は、前記照明負荷の累積点灯時間及び累積調光量をカウントし、それぞれの累積点灯時間と累積調光量との積算を加算することにより平均照度を算出し該算出値により、照度補正用データを選択することを特徴とする。
【０００９】
請求項２記載の発明によれば、請求項１記載の照明装置において、照度補正用データは、照射面の反射率に応じて選択されるものであることを特徴とする。
【００１１】
請求項３記載の発明によれば、請求項１又は請求項２のいずれかに記載の照明装置において、前記照度補正用データは、前記照明負荷の種類に応じて選択されるものであることを特徴とする。
【００１２】
請求項４記載の発明によれば、請求項１乃至請求項３のいずれかに記載の照明装置において、前記照度補正用データは、前記照明負荷を有する照明器具の種類に応じて選択されるものであることを特徴とする。
【００１３】
請求項５記載の発明によれば、請求項１乃至請求項４のいずれかに記載の照明装置において、前記照度補正用データは、外光量に応じて選択されるものであることを特徴とする。
【００１５】
【実施の形態】
（実施の形態１）
本発明に係る第１の実施の形態のブロック構成図を図１に示す。
【００１６】
本構成は、複数の照明器具４と、複数の照明器具４の光出力を制御する為の調光信号を出力する調光信号出力部３と、調光信号出力部３から出力される調光信号を補正するデータ補正演算部２とからなり、データ補正演算部２は、光束低下特性補正調光データテーブル１と点灯時間タイマ６と時計５と反射率補正テーブル７とからの信号に応じて、データ補正を演算するものである。８は、使用する空間あるいは被照射面の反射率を選択する反射率選択ＳＷである。
【００１７】
ここで、図２（ａ）に示す様に、光源（例えば、低圧放電灯）の時間の経過に対する光束低下特性（光束減退）を補正するような光束低下特性補正データテーブル１を記憶しておく。また、図２（ｂ）に示す様に、反射率に応じた反射率補正テーブル７（図２（ｂ）中のＡ、Ｂ、Ｃ）を記憶しておく。図２（ｂ）中において、反射率の低い場合にはＢが選択され、高くなるほど、Ａ→Ｂ→Ｃと選択を変える。
【００１８】
以下、動作を簡単に説明する。
使用者は、反射率選択ＳＷ８にて、使用する空間あるいは被照射面の反射率を適切に選択する。反射率の低い場合には照度が低くなるため、図２（ｂ）のＢに示す調光データテーブルの様に、初期の時点から標準よりも高めの設定になるような反射率補正テーブル７が選択される。反射率の高い場合には照度が低くなるため、図２（ｂ）のＣに示す調光データテーブルの様に、初期の時点から標準よりも低めの設定になるような反射率補正テーブル７が選択される。この様に選択された反射率補正テーブル７と、前述の光束低下特性補正データテーブル１と、点灯時間タイマ６と、時計５とからの信号に応じて、データ補正演算部２にて、その時点での最適調光データが演算されて調光信号出力部３に送出され、照明器具４が調光点灯する。以後、点灯時間タイマ６の出力値により最適調光データが変化し、照明器具４の調光レベルが変化し、常に、適正照度が得られる。
【００１９】
以上の様に構成することにより、標準の光束低下特性補正テーブルに対して現実の被照射面などの反射率の違いによる設計照度のずれを補正する場合や、照度設定レベルを変えたい場合に、反射率選択ＳＷを切り替えることにより簡単で自由に設計できる。なお、ここでは、データ補正演算部２により演算しているが、反射率や光束低下などを考慮した複数の補正データテーブルを選択ＳＷなどで選択する様な構成であってもよい。また、照明器具４の台数はいくつでも構わない。また、照明器具４は、互いに直列に接続されても、並列に接続されても、直並列に接続されても構わない。
【００２０】
（実施の形態２）
本発明に係る第２の実施の形態のブロック構成図を図３に示す。
【００２１】
図１に示した第１の実施の形態と異なる点は、調光比設定部１０と、調光比設定部１０によって設定されるタイム調光テーブル９と、累積調光時間カウント部１１とを設けて、例えば、図５に示すようなタイム調光テーブルで調光点灯させる場合の適正照度補正を行う様に構成したことであり、その他の第１の実施の形態と同一構成には同一符号を付すことより説明を省略する。
【００２２】
ここで、図５に示す様なタイム調光テーブル（ＡＭ８時からＰＭ６時までは照度比を５０％、ＰＭ６時からＰＭ９時までは照度比を７０％、ＰＭ９時からＡＭ８時までは消灯）を記憶しておく。また、図４（ａ）に示す様に、光源（例えば、低圧放電灯）の時間の経過に対する光束低下特性（光束減退）を補正するような光束低下特性補正データテーブル１を記憶しておく。また、図４（ｂ）は、各調光比（例えば、１００％、７０％、５０％）で調光時における調光データの変化を示し、図４（ｃ）は、調光信号出力部３からの出力を示している。
【００２３】
以下、動作を簡単に説明する。
点灯開始後、累積調光時間カウント部１１にて、光源の累積点灯時間と累積調光量とをカウントする。例えば、全点灯時間が１０００時間、照度比５０％が７５０時間、照度比７０％が２５０時間とすると、平均照度比＝（０．５×７５０＋０．７×２５０）／１０００＝５５（％）となるので、全点灯時間に対して５５％の照度比で点灯されたと判断する。そして、５５％調光時の光束低下特性から得られる調光比データテーブルを読み出し、データ補正演算部２にて、その時点での最適調光データが演算されて調光信号出力部３に送出され、照明器具４が調光点灯する。例えば、５５％調光時の調光比データテーブルを読み出し、例えば調光比７３％のデータに、設定値（ＡＭ８時からＰＭ６時までは照度比を５０％、ＰＭ６時からＰＭ９時までは照度比を７０％）を掛け合わせて補正ずる。
【００２４】
以上の様に構成することにより、タイムスケジュール制御にも対応した補正ができ、図４（ｃ）に示すように、ある時間間隔毎に調光信号出力部３の出力を変化できるので、更なる省エネができ、ランプ交換寿命を長くすることができる。（一般に、調光した場合にはランプ管壁温度が下がるために、予熱条件さえ適切に設定すれば、調光した場合にはランプ寿命は長くなることが知られている。）なお、ここでは、１０００時間毎に補正しているが、１００時間毎や２００時間毎など、その時間間隔は任意に設定すればよい。
【００２５】
（実施の形態３）
本発明に係る第３の実施の形態のブロック構成図を図６に示す。
【００２６】
図１に示した第１の実施の形態と異なる点は、器具種類選択ＳＷ１３と、器具種類選択ＳＷ１３によって選択される器具種類補正テーブル１２とを設けて、器具としての時間の経過に対する光束低下特性が異なるために、器具種類（例えば、富士型器具、埋め込み型器具、ホルダー器具などに分類する。）に応じて適正照度補正を行う様に構成したことであり、その他の第１の実施の形態と同一構成には同一符号を付すことより説明を省略する。
【００２７】
この様に選択された器具種類補正テーブル１２と、前述の光束低下特性補正データテーブル１と、点灯時間タイマ６と、時計５とからの信号に応じて、データ補正演算部２にて最適調光データが演算されて調光信号出力部３に送出され、照明器具４が調光点灯する。以後、点灯時間タイマ６の出力値により最適調光データが変化し、照明器具４の調光レベルが変化する。以後、点灯時間タイマ６の出力値により最適調光データが変化し、照明器具４の調光レベルが変化し、常に、適正照度が得られる。
【００２８】
なお、器具種類選択ＳＷ１３は、器具タイプのみならず、光源の種類を選択するものであってもよく、器具種類と光源の種類とを合わせて選択するものであっても良い。また、複数のゾーンで異なる照明器具４を制御するものであっても良く、この場合には、器具種類選択ＳＷ１３を複数種類用いても良い。）
（実施の形態４）本発明に係る第４の実施の形態のブロック構成図を図７に示す。
【００２９】
図１に示した第１の実施の形態と異なる点は、エリア調光Ａ選択ＳＷ１７と、エリア調光Ｂ選択ＳＷ１８と、エリア調光Ｃ選択ＳＷ１９と、エリア調光Ａ選択ＳＷ１７乃至エリア調光Ｃ選択ＳＷ１９の各々の選択によって選択されるエリアＡ補正テーブル１４と、エリアＢ補正テーブル１５と、エリアＣ補正テーブル１６とを設けて、制御エリア毎に適正照度補正を行う様に構成したことであり、その他の第１の実施の形態と同一構成には同一符号を付すことより説明を省略する。
【００３０】
以下、簡単に説明する。
エリアＡが窓際で常に外光が入る個所、エリアＣは廊下など人の利用頻度は少ないが明かりは必要な個所、エリアＢは、エリアＡとエリアＣとの間に挟まれた個所とし、エリアＡの照度比は５０％、エリアＢの照度比は１００％、エリアＣの照度比は３０％と選択する。そして、エリアＡ補正テーブル１４乃至エリアＣ補正テーブル１６と、前述の光束低下特性補正データテーブル１と、点灯時間タイマ６と、時計５とからの信号に応じて、データ補正演算部２にて最適調光データが演算される。図８に示す様に、エリアＡでは、初期（０ｈ）には、照度比５０％×光束低下曲線から予め設定されている基準調光比（ここでは７０％）＝３５％とし、５０００時間経過後には５０％×８５％＝４２．５％とし、１００００時間経過後には５０％×１００％＝５０％、とする。以下、各エリアとも同様に演算する。そして、その演算されたデータが調光信号出力部３に送出され、照明器具４が調光点灯する。以後、点灯時間タイマ６の出力値により最適調光データが変化し、照明器具４の調光レベルが変化し、常に、適正照度が得られる。
【００３１】
（実施の形態５）本発明に係る第５の実施の形態のブロック構成図を図９に示す。
【００３２】
図１に示した第１の実施の形態と異なる点は、外光を検知する外光センサ２１と、外光センサ２１の検知値に応じて選択されるセンサ情報補正テーブル２０とを設けて、外光に応じて適正照度補正を行う様に構成したことであり、その他の第１の実施の形態と同一構成には同一符号を付すことより説明を省略する。
【００３３】
以下、簡単に説明する。エリアＡが窓際で常に外光が入る個所、エリアＢは窓よりも少し離れた個所、エリアＢは、エリアＣは窓よりも遠く離れた個所とすると、外光センサ２１の検知値に応じてセンサ情報補正テーブル２０が選択され、例えば、外光が多いときには、エリアＡは３０％、エリアＢは５０％、エリアＣは７０％が選択される。そして、センサ情報補正テーブル２０と、前述の光束低下特性補正データテーブル１と、点灯時間タイマ６と、時計５とからの信号に応じて、データ補正演算部２にて最適調光データが演算される。ここで、演算の方法は図８に示すようなものを用いても良く、他の手段であっても良い。そして、その演算されたデータが調光信号出力部３に送出され、照明器具４が調光点灯する。以後、点灯時間タイマ６の出力値により最適調光データが変化し、照明器具４の調光レベルが変化し、常に、適正照度が得られる。
【００３４】
なお、上記全ての実施の形態は、本発明の作用効果を満たすものであれば、適宜組み合わせても良い。また、調光信号は、ＰＷＭ信号であっても良いし、ＤＣ信号であっても良いし、他のものであっても良い。また、調光信号は、デジタル伝送信号であっても良く、この場合、照明器具４側に伝送端末を設置するように構成しても良い。また、光源は、直管の低圧放電灯であっても、環型の低圧放電灯であっても、ＨＩＤランプの様な高圧放電灯であっても良い。
【００３５】
【発明の効果】
請求項１乃至請求項５に記載の発明によれば、床面などの反射率の違いや時間（時刻）等に応じて調光レベルを変化させる空間（例えば店舗）などにも対応した初期照度補正が可能で、装置の小型化が可能な照明装置を提供できる。
【図面の簡単な説明】
【図１】本発明に係る第１の実施の形態のブロック構成図を示す。
【図２】本発明に係る第１の実施の形態の、（ａ）光束低下特性，（ｂ）調光データテーブルを示す。
【図３】本発明に係る第２の実施の形態のブロック構成図を示す。
【図４】本発明に係る第２の実施の形態の、（ａ）光束低下特性，（ｂ）調光データテーブル、（ｃ）データ補正演算部出力を示す。
【図５】本発明に係る第２の実施の形態のタイムスケジュール制御の一例を示す。
【図６】本発明に係る第３の実施の形態のブロック構成図を示す。
【図７】本発明に係る第４の実施の形態のブロック構成図を示す。
【図８】本発明に係る第４の実施の形態の、演算方法の一例を示す。
【図９】本発明に係る第５の実施の形態のブロック構成図を示す。
【符号の説明】
４    照明器具
【図１】
0003951504.tif 000002
【図２】
0003951504.tif 000003
【図３】
0003951504.tif 000004
【図４】
0003951504.tif 000005
【図５】
0003951504.tif 000006
【図６】
0003951504.tif 000007
【図７】
0003951504.tif 000008
【図８】
0003951504.tif 000009
【図９】
0003951504.tif 000010